(57)【要約】【課題】特定の組織に属するユーザに限定してクーポンを発行する場合であっても、クーポン発行元であるサービス提供者側の負担を軽減する。【解決手段】少なくともユーザ識別情報、組織識別情報およびサイト識別情報を含むサービス要求を受信するサービス要求受信部１１と、受信されたサービス要求に基づいて、ユーザ識別情報の正当性を証明するように、組織識別情報に対応する宛先に認証要求を送信する認証要求部１２と、送信された認証要求に対する応答を受信する応答受信部１３と、受信された応答に、ユーザ識別情報の正当性が証明されたことを示す承認情報が含まれる場合に、サイト識別情報に対応するサービス提供サイトで使用可能なクーポンを発行するクーポン発行部１４と、発行されたクーポンに関するクーポン情報を、サービス要求の送信元に送信するクーポン情報送信部１５と、を備える。【選択図】図２
2013235434.tif 000002
【特許請求の範囲】
【請求項１】
少なくとも、サービスの提供を要求するユーザを特定するためのユーザ識別情報、前記ユーザが属する組織を特定するための組織識別情報、および前記ユーザがサービスの提供を受けようとするサービス提供サイトを特定するためのサイト識別情報を含むサービス要求を受信するサービス要求受信部と、
前記サービス要求受信部により受信された前記サービス要求に基づいて、前記ユーザ識別情報の正当性を証明するように、前記組織識別情報に対応する宛先に認証要求を送信する認証要求部と、
前記認証要求部により送信された前記認証要求に対する応答を受信する応答受信部と、
前記応答受信部により受信された前記応答に、前記ユーザ識別情報の正当性が証明されたことを示す承認情報が含まれる場合に、前記サイト識別情報に対応する前記サービス提供サイトで使用可能なクーポンを発行するクーポン発行部と、
前記クーポン発行部により発行された前記クーポンに関するクーポン情報を、前記サービス要求の送信元に送信するクーポン情報送信部と、
を備えることを特徴とするクーポン発行仲介装置。
【請求項２】
前記サービス提供サイトは、前記クーポンを使用する前記ユーザに対して前記クーポンに割り当てられた特典を付与するサービス提供組織が運営するサイトである、ことを特徴とする請求項１記載のクーポン発行仲介装置。
【請求項３】
少なくとも、サービスの提供を要求するユーザを特定するためのユーザ識別情報、前記ユーザが属する組織を特定するための組織識別情報、および前記ユーザにサービスを提供するサービス提供サイトを特定するためのサイト識別情報を含むサービス要求を受信するサービス要求受信ステップと、
前記サービス要求受信ステップにおいて受信された前記サービス要求に基づいて、前記ユーザ識別情報の正当性を証明するように、前記組織識別情報に対応する宛先に認証要求を送信する認証要求ステップと、
前記認証要求ステップにおいて送信された前記認証要求に対する応答を受信する応答受信ステップと、
前記応答受信ステップにおいて受信された前記応答に、前記ユーザ識別情報が承認されたことを示す承認情報が含まれる場合に、前記サイト識別情報に対応する前記サービス提供サイトで使用可能なクーポンを発行するクーポン発行ステップと、
前記クーポン発行ステップにおいて発行された前記クーポンに関するクーポン情報を、前記サービス要求の送信元に送信するクーポン情報送信ステップと、
を含むことを特徴とするクーポン発行仲介方法。
【請求項４】
コンピュータに、
少なくとも、サービスの提供を要求するユーザを特定するためのユーザ識別情報、前記ユーザが属する組織を特定するための組織識別情報、および前記ユーザにサービスを提供するサービス提供サイトを特定するためのサイト識別情報を含むサービス要求を受信するサービス要求受信ステップと、
前記サービス要求受信ステップにおいて受信された前記サービス要求に基づいて、前記ユーザ識別情報の正当性を証明するように、前記組織識別情報に対応する宛先に認証要求を送信する認証要求ステップと、
前記認証要求ステップにおいて送信された前記認証要求に対する応答を受信する応答受信ステップと、
前記応答受信ステップにおいて受信された前記応答に、前記ユーザ識別情報が承認されたことを示す承認情報が含まれる場合に、前記サイト識別情報に対応する前記サービス提供サイトで使用可能なクーポンを発行するクーポン発行ステップと、
前記クーポン発行ステップにおいて発行された前記クーポンに関するクーポン情報を、前記サービス要求の送信元に送信するクーポン情報送信ステップと、
を実行させることを特徴とするクーポン発行仲介プログラム。
【発明の詳細な説明】
【技術分野】
【０００１】
本発明は、クーポン発行仲介装置、クーポン発行仲介方法およびクーポン発行仲介プログラムに関する。
【背景技術】
【０００２】
従来から、販売店等では、特定の商品やサービスの販売等を促進するために、顧客に対して割引や優待等の特典を付与するクーポンを発行している。近年、インターネットの普及に伴い、ウェブサイトを利用してクーポンを発行することが多くなった。下記特許文献１には、販売店サーバ上のウェブサイトに表示した広告リンクをユーザにクリックさせてクーポンサーバ上のクーポンサイトにユーザを誘導し、クーポンサイトに表示した販売店用のクーポンをユーザに印刷させることで、販売店で利用可能なクーポンを発行するクーポン発行システムが開示されている。
【先行技術文献】
【特許文献】
【０００３】
【特許文献１】特開２００９−２５１８４３号公報
【発明の概要】
【発明が解決しようとする課題】
【０００４】
上述した従来技術では、ユーザが印刷したクーポンを販売店に持参して使用することになるが、インターネット上のショッピングサイトでクーポンを使用する場合には、ユーザがクーポンに記載されているクーポンコードを入力することでクーポンに付与された特典を享受することになる。
【０００５】
クーポンの中には、特定の組織に属するユーザに限定して発行するものがあるが、そのようなクーポンを発行する場合には、クーポン発行時に、ユーザが特定の組織に属する正当な対象者であるか否かを判別してから発行する必要がある。このような判別を、ショッピングサイトを運営するサービス提供者側で行う場合には、発行対象者の情報を各サービス提供者で個別に管理する必要があるため、サービス提供者側の負担が大きくなる。
【０００６】
そこで、本発明は、上述した課題を解決するためになされたものであり、特定の組織に属するユーザに限定してクーポンを発行する場合であっても、クーポン発行元であるサービス提供者側の負担を軽減することができるクーポン発行仲介装置、クーポン発行仲介方法およびクーポン発行仲介プログラムを提供することを目的の一つとする。
【課題を解決するための手段】
【０００７】
本発明の一態様であるクーポン発行仲介装置は、少なくとも、サービスの提供を要求するユーザを特定するためのユーザ識別情報、前記ユーザが属する組織を特定するための組織識別情報、および前記ユーザがサービスの提供を受けようとするサービス提供サイトを特定するためのサイト識別情報を含むサービス要求を受信するサービス要求受信部と、前記サービス要求受信部により受信された前記サービス要求に基づいて、前記ユーザ識別情報の正当性を証明するように、前記組織識別情報に対応する宛先に認証要求を送信する認証要求部と、前記認証要求部により送信された前記認証要求に対する応答を受信する応答受信部と、前記応答受信部により受信された前記応答に、前記ユーザ識別情報の正当性が証明されたことを示す承認情報が含まれる場合に、前記サイト識別情報に対応する前記サービス提供サイトで使用可能なクーポンを発行するクーポン発行部と、前記クーポン発行部により発行された前記クーポンに関するクーポン情報を、前記サービス要求の送信元に送信するクーポン情報送信部と、を備える。
【０００８】
本発明の一態様であるクーポン発行仲介方法は、少なくとも、サービスの提供を要求するユーザを特定するためのユーザ識別情報、前記ユーザが属する組織を特定するための組織識別情報、および前記ユーザにサービスを提供するサービス提供サイトを特定するためのサイト識別情報を含むサービス要求を受信するサービス要求受信ステップと、前記サービス要求受信ステップにおいて受信された前記サービス要求に基づいて、前記ユーザ識別情報の正当性を証明するように、前記組織識別情報に対応する宛先に認証要求を送信する認証要求ステップと、前記認証要求ステップにおいて送信された前記認証要求に対する応答を受信する応答受信ステップと、前記応答受信ステップにおいて受信された前記応答に、前記ユーザ識別情報が承認されたことを示す承認情報が含まれる場合に、前記サイト識別情報に対応する前記サービス提供サイトで使用可能なクーポンを発行するクーポン発行ステップと、前記クーポン発行ステップにおいて発行された前記クーポンに関するクーポン情報を、前記サービス要求の送信元に送信するクーポン情報送信ステップと、を含む。
【０００９】
本発明の一態様であるクーポン発行仲介プログラムは、コンピュータに、少なくとも、サービスの提供を要求するユーザを特定するためのユーザ識別情報、前記ユーザが属する組織を特定するための組織識別情報、および前記ユーザにサービスを提供するサービス提供サイトを特定するためのサイト識別情報を含むサービス要求を受信するサービス要求受信ステップと、前記サービス要求受信ステップにおいて受信された前記サービス要求に基づいて、前記ユーザ識別情報の正当性を証明するように、前記組織識別情報に対応する宛先に認証要求を送信する認証要求ステップと、前記認証要求ステップにおいて送信された前記認証要求に対する応答を受信する応答受信ステップと、前記応答受信ステップにおいて受信された前記応答に、前記ユーザ識別情報が承認されたことを示す承認情報が含まれる場合に、前記サイト識別情報に対応する前記サービス提供サイトで使用可能なクーポンを発行するクーポン発行ステップと、前記クーポン発行ステップにおいて発行された前記クーポンに関するクーポン情報を、前記サービス要求の送信元に送信するクーポン情報送信ステップと、を実行させる。
【発明の効果】
【００１０】
本発明によれば、特定の組織に属するユーザに限定してクーポンを発行する場合であっても、クーポン発行元のサービス提供者側の負担を軽減することができる。
【図面の簡単な説明】
【００１１】
【図１】実施形態におけるクーポン発行仲介装置を含むクーポン発行システムの構成を例示する図である。
【図２】クーポン発行仲介装置の機能構成を例示する図である。
【図３】実施形態におけるクーポン発行システムの動作を説明するためのフローチャートである。
【図４】変形例におけるクーポン発行システムの構成を例示する図である。
【図５】変形例におけるクーポン発行システムの動作を説明するためのフローチャートである。
【発明を実施するための形態】
【００１２】
以下、添付図面を参照して、本発明に係るクーポン発行仲介装置、クーポン発行仲介方法およびクーポン発行仲介プログラムの好適な実施形態について説明する。
【００１３】
まず、図１を参照して、本実施形態におけるクーポン発行仲介装置を含むクーポン発行システムの構成について説明する。クーポン発行システム１００は、クーポン発行仲介装置１と、ユーザ端末２１と、組織内サーバ２２と、サービス提供サーバ３と、を備える。ユーザ端末２１および組織内サーバ２２は、例えば大学等の組織内で構築された組織内ネットワークを構成する装置である。
【００１４】
サービス提供サーバ３は、例えば、ショッピングサイトや書籍サイト等のようにユーザにサービスを提供するためのウェブサイト（以下、「サービス提供サイト」という。）を管理する装置である。サービス提供サーバ３は、ユーザがサービス提供サイトのサービス利用時にクーポンコードを入力してきた場合に、そのクーポンコードに割り当てられた割引や優待等の特典を付与したうえでユーザにサービスを提供する。
【００１５】
クーポン発行仲介装置１は、サービス提供サイトで使用可能なクーポンを、サービス提供サイトに替わって発行する装置である。
【００１６】
図２を参照して、クーポン発行仲介装置１の機能構成について説明する。クーポン発行仲介装置１は、機能的には、例えば、サービス要求受信部１１と、認証要求部１２と、応答受信部１３と、クーポン発行部１４と、クーポン情報送信部１５と、を有する。
【００１７】
ここで、クーポン発行仲介装置１は、物理的には、例えば、ＣＰＵ（Central Processing Unit）と、メモリと、入出力インターフェースとを含む。メモリは、例えば、ＣＰＵで処理されるプログラムおよびデータを記憶するＲＯＭ（Read Only Memory）やＨＤＤ（Hard Disk Drive）、主として制御処理のための各種作業領域として使用するＲＡＭ（Random Access Memory）等を含む。これらの要素は、互いにバスを介して接続する。ＣＰＵが、ＲＯＭに記憶されたプログラムを実行し、入出力インターフェースを介して受信されるメッセージや、ＲＡＭに展開されるデータ等を処理することで、クーポン発行仲介装置１における各部の機能を実現する。
【００１８】
図２に示すサービス要求受信部１１は、ユーザ端末２１から送信されるサービス要求を受信する。サービス要求には、例えば、サービスの提供を要求するユーザを特定するためのユーザ識別情報や、ユーザが属する組織を特定するための組織識別情報、ユーザがサービスの提供を受けようとするサービス提供サイトを特定するためのサイト識別情報が含まれる。
【００１９】
認証要求部１２は、サービス要求受信部１１により受信されたサービス要求に基づいてユーザ識別情報の正当性を証明するように、組織識別情報に対応する組織内サーバ２２に認証要求を送信する。具体的に、認証要求部１２は、サービス要求に含まれる組織識別情報を用いて組織内サーバ２２を特定し、サービス要求に含まれるユーザ識別情報を認証対象とする認証要求を生成し、その生成した認証要求を上記特定した組織内サーバ２２に送信する。
【００２０】
応答受信部１３は、認証要求部１２により送信された認証要求に対する応答を組織内サーバ２２から受信する。
【００２１】
クーポン発行部１４は、応答受信部１３により受信された応答に、ユーザ識別情報の正当性が証明されたことを示す承認情報が含まれるか否かを判定する。クーポン発行部１４は、組織内サーバ２２からの応答に承認情報が含まれている場合に、サービス要求受信部１１により受信されたサービス要求に含まれるサイト識別情報に対応するサービス提供サイトで使用可能なクーポンを発行する。
【００２２】
クーポン情報送信部１５は、クーポン発行部１４により発行されたクーポンに関するクーポン情報を、サービス要求の送信元であるユーザ端末２１に送信する。クーポン情報には、例えば、クーポンを特定するためのクーポンコードや、クーポンの対象となるサービス名、クーポンにより付与される特典内容等を含むことができる。
【００２３】
次に、図３を参照して、本実施形態におけるクーポン発行システム１００の動作について説明する。
【００２４】
最初に、ユーザ端末２１は、クーポン発行仲介装置１にサービス要求を送信する（ステップＳ１０１）。
【００２５】
続いて、クーポン発行仲介装置１の認証要求部１２は、上記ステップＳ１０１で送信されたサービス要求に基づいて、ユーザ識別情報の正当性を証明するように、組織識別情報に対応する組織内サーバ２２に認証要求を送信する（ステップＳ１０２）。
【００２６】
続いて、組織内サーバ２２は、ユーザ識別情報の正当性をチェックし、そのチェック結果を認証要求に対する応答に含めてクーポン発行仲介装置１に送信する（ステップＳ１０３）。チェック結果には、ユーザ識別情報の正当性が証明されたことを示す承認情報と、ユーザ識別情報の正当性が証明されなかったことを示す不承認情報とがある。
【００２７】
続いて、クーポン発行仲介装置１のクーポン発行部１４は、組織内サーバ２２からの応答に承認情報が含まれるか否かを判定する（ステップＳ１０４）。この判定がＮＯである場合（ステップＳ１０４；ＮＯ）に、クーポン発行仲介装置１は、サービス要求が否認されたことを示すＮＧメッセージをユーザ端末２１に送信する（ステップＳ１０５）。
【００２８】
一方、上記ステップＳ１０４の判定で応答に承認情報が含まれると判定された場合（ステップＳ１０４；ＹＥＳ）に、クーポン発行部１４は、上記ステップＳ１０１で送信されたサービス要求に含まれるサイト識別情報に対応するサービス提供サイトで使用可能なクーポンを発行する（ステップＳ１０６）。
【００２９】
続いて、クーポン発行仲介装置１のクーポン情報送信部１５は、上記ステップＳ１０６で発行されたクーポンに関するクーポン情報を、サービス要求の送信元であるユーザ端末２１に送信する（ステップＳ１０７）。
【００３０】
続いて、ユーザ端末２１は、サービス提供サーバ３のサービス提供サイトにアクセスし、クーポン発行仲介装置１から受信したクーポン情報に基づいて、サービス提供サイトにクーポンコードを送信する（ステップＳ１０８）。
【００３１】
続いて、サービス提供サイトは、ユーザ端末２１から受信したクーポンコードに割り当てられた特典を付与したうえでユーザにサービスを提供する（ステップＳ１０９）。
【００３２】
上述したように、本実施形態におけるクーポン発行仲介装置１によれば、ユーザ端末２１からサービス要求を受信した場合に、そのサービス要求に含まれるユーザ識別情報の正当性を証明するように、サービス要求に含まれる組織識別情報に対応する組織内サーバ２２に認証要求を送信することができ、その認証要求の応答に承認情報が含まれる場合に、上記サービス要求に含まれるサイト識別情報に対応するサービス提供サイトで使用可能なクーポンを発行し、そのクーポンに関するクーポン情報をユーザ端末２１に送信することができる。
【００３３】
これにより、クーポンの発行元であるサービス提供者が運営するサービス提供サイトは、クーポン発行仲介装置１によって承認されたユーザ端末２１に対してクーポンを発行すればよいことになる。それゆえに、特定の組織に属するユーザに限定してクーポンを発行する場合であっても、サービス提供者側の負担を軽減させることが可能となる。
【００３４】
[変形例]
なお、上述した実施形態は、単なる例示に過ぎず、実施形態に明示していない種々の変形や技術の適用を排除するものではない。すなわち、本発明は、その趣旨を逸脱しない範囲で様々な形態に変形して実施することができる。
【００３５】
例えば、上述した実施形態では、ユーザ端末２１がクーポン発行仲介装置１にアクセスし、クーポン発行仲介装置１からクーポンを受け取っているが、これに限定されない。例えば、ユーザ端末２１がサービス提供サイトにアクセスし、サービス提供サイトからクーポンを受け取ることとしてもよい。
【００３６】
図４を参照して、本変形例におけるクーポン発行システムの構成について説明する。
【００３７】
本変形例におけるクーポン発行システム１０１は、実施形態におけるクーポン発行システム１００と同様に、クーポン発行仲介装置１と、ユーザ端末２１と、組織内サーバ２２と、サービス提供サーバ３と、を備える。
【００３８】
本変形例におけるクーポン発行システム１０１が、実施形態におけるクーポン発行システム１００と異なる点は、クーポンを受け取る際のユーザ端末２１のアクセス先が、クーポン発行仲介装置１ではなく、サービス提供サイトになる点である。
【００３９】
図５を参照して、本変形例におけるクーポン発行システム１０１の動作について説明する。
【００４０】
最初に、ユーザ端末２１は、サービス提供サーバ３のサービス提供サイトにサービス要求を送信し（ステップＳ２０１）、サービス提供サイトは、そのサービス要求をクーポン発行仲介装置１に転送する（ステップＳ２０２）。
【００４１】
続いて、クーポン発行仲介装置１の認証要求部１２は、上記ステップＳ２０２で転送されたサービス要求に基づいて、ユーザ識別情報の正当性を証明するように、組織識別情報に対応する組織内サーバ２２に認証要求を送信する（ステップＳ２０３）。
【００４２】
続いて、組織内サーバ２２は、ユーザ識別情報の正当性をチェックし、そのチェック結果を認証要求に対する応答に含めてクーポン発行仲介装置１に送信する（ステップＳ２０４）。
【００４３】
続いて、クーポン発行仲介装置１のクーポン発行部１４は、組織内サーバ２２からの応答に承認情報が含まれるか否かを判定する（ステップＳ２０５）。この判定がＮＯである場合（ステップＳ２０５；ＮＯ）に、クーポン発行仲介装置１は、サービス要求が否認されたことを示すＮＧメッセージをサービス提供サーバ３のサービス提供サイトに送信し（ステップＳ２０６）、サービス提供サイトは、そのＮＧメッセージをユーザ端末２１に転送する（ステップＳ２０７）。
【００４４】
一方、上記ステップＳ２０５の判定で応答に承認情報が含まれると判定された場合（ステップＳ２０５；ＹＥＳ）に、クーポン発行部１４は、上記ステップＳ２０２で転送されたサービス要求に含まれるサイト識別情報に対応するサービス提供サイトで使用可能なクーポンを発行する（ステップＳ２０８）。
【００４５】
続いて、クーポン発行仲介装置１のクーポン情報送信部１５は、上記ステップＳ２０８で発行されたクーポンに関するクーポン情報を、サービス提供サーバ３のサービス提供サイトに送信し（ステップＳ２０９）、サービス提供サイトは、そのクーポン情報をユーザ端末２１に転送する（ステップＳ２１０）。
【００４６】
続いて、ユーザ端末２１は、サービス提供サイトから受信したクーポン情報に基づいて、サービス提供サイトにクーポンコードを送信する（ステップＳ２１１）。
【００４７】
続いて、サービス提供サイトは、ユーザ端末２１から受信したクーポンコードに割り当てられた特典を付与したうえでユーザにサービスを提供する（ステップＳ２１１）。
【００４８】
上述したように、本変形例におけるクーポン発行仲介装置１によれば、サービス提供サイトを介してユーザ端末２１からサービス要求を受信した場合に、そのサービス要求に含まれるユーザ識別情報の正当性を証明するように、サービス要求に含まれる組織識別情報に対応する組織内サーバ２２に認証要求を送信することができ、その認証要求の応答に承認情報が含まれる場合に、上記サービス要求に含まれるサイト識別情報に対応するサービス提供サイトで使用可能なクーポンを発行し、そのクーポンに関するクーポン情報を、サービス提供サイトを介してユーザ端末２１に送信することができる。
【００４９】
これにより、クーポンの発行元であるサービス提供者が運営するサービス提供サイトは、クーポン発行仲介装置１によって承認されたユーザ端末２１に対してクーポンを発行すればよいことになる。それゆえに、特定の組織に属するユーザに限定してクーポンを発行する場合であっても、サービス提供者側の負担を軽減させることが可能となる。
【符号の説明】
【００５０】
１：クーポン発行仲介装置
３：サービス提供サーバ
１１：サービス要求受信部
１２：認証要求部
１３：応答受信部
１４：クーポン発行部
１５：クーポン情報送信部
２１：ユーザ端末
２２：組織内サーバ
１００：クーポン発行システム
１０１：クーポン発行システム
【図１】
2013235434.tif 000003
【図２】
2013235434.tif 000004
【図３】
2013235434.tif 000005
【図４】
2013235434.tif 000006
【図５】
2013235434.tif 000007